(57)【要約】【課題】設置の自由度を向上させることができる車両用の前照灯を提供する。【解決手段】前照灯１００は、光源１６０と、光源１６０が設けられるベース基板１４０と、光源１６０から照射された照射光を反射させて田植機１の前方へ放出する反射板１５０と、を有し、光源１６０が複数設けられ、それぞれの光源１６０に対して反射板１５０がそれぞれ設けられ、前照灯１００が田植機１に設置された状態のとき、複数の反射板１５０が、前後方向に並んだ状態から、上下方向の位置を互いに異ならせた位置に配置されている。【選択図】図６
2017107737.tif 000002
【特許請求の範囲】
【請求項１】
光源と、前記光源が設けられるベース基板と、前記光源から照射された照射光を反射させて車両の前方へ放出する反射板と、を有する車両用の前照灯であって、
前記光源が複数設けられ、それぞれの前記光源に対して前記反射板がそれぞれ設けられ、
前記前照灯が前記車両に設置された状態のとき、前記複数の反射板が、前後方向に並んだ状態から、上下方向の位置を互いに異ならせた位置に配置されていることを特徴とする、
車両用の前照灯。
【請求項２】
前記各光源から照射された照射光が、前記各光源に対応する前記反射板でそれぞれ反射されること無く、前記車両の前方へ放出されたものである直射光の発生を防ぐための防止機構が設けられることを特徴とする、
請求項１に記載の車両用の前照灯。
【請求項３】
前記防止機構は前記直射光を遮るための隔壁を有し、前記隔壁が前記複数の反射板と一体的に構成されることを特徴とする、
請求項２に記載の車両用の前照灯。
【請求項４】
前記防止機構は前記直射光を遮るための隔壁を有し、前記隔壁が前記ベース基板に設けられることを特徴とする、
請求項２に記載の車両用の前照灯。
【請求項５】
前記複数の光源が単一の前記ベース基板に設けられ、前記ベース基板が前記複数の反射板の並びに沿うように設けられることを特徴とする、
請求項１〜請求項４のいずれか一項に記載の車両用の前照灯。
【請求項６】
前記車両の前方へ照射光を放出する前記前照灯とは異なる役割を有する灯具の光源を、前記ベース基板に設けることを特徴とする、
請求項１〜請求項５のいずれか一項に記載の車両用の前照灯。
【発明の詳細な説明】
【技術分野】
【０００１】
本発明は、車両用の前照灯に関する。
【背景技術】
【０００２】
従来、車両用の前照灯の技術は公知である（例えば、特許文献１）。
特許文献１に記載の前照灯は、車両の前端に設置される。特許文献１に記載の前照灯は、二つの光源１６・１７と反射板２・３を上下に並列に配置するので、上下方向の厚みが大きくなる。これにより、前照灯を車両に設置するためには、上下方向に大きな厚みを有する設置スペースを確保しなければならず、設置の自由度が制限されるおそれがあった。
また、特許文献１に記載の前照灯は、光源１６・１７毎に基板８・９が設けられるため、光源１６・１７の数と同数の基板８・９が必要になる。これにより、装置の製造コストが増大し、装置構成が複雑化するおそれがあった。
【先行技術文献】
【特許文献】
【０００３】
【特許文献１】特表２０１３−５４５２２３号公報
【発明の概要】
【発明が解決しようとする課題】
【０００４】
本発明は、設置の自由度を向上させることができる車両用の前照灯を提供する。
【課題を解決するための手段】
【０００５】
請求項１に記載の車両用の前照灯は、
光源と、前記光源が設けられるベース基板と、前記光源から照射された照射光を反射させて車両の前方へ放出する反射板と、を有し、
前記光源が複数設けられ、それぞれの前記光源に対して前記反射板がそれぞれ設けられ、
前記前照灯が前記車両に設置された状態のとき、前記複数の反射板が、前後方向に並んだ状態から、上下方向の位置を互いに異ならせた位置に配置されている。
【０００６】
請求項２に記載の車両用の前照灯においては、
前記各光源から照射された照射光が、前記各光源に対応する前記反射板でそれぞれ反射されること無く、前記車両の前方へ放出されたものである直射光の発生を防ぐための防止機構が設けられる。
【０００７】
請求項３に記載の車両用の前照灯においては、
前記防止機構は前記直射光を遮るための隔壁を有し、前記隔壁が前記複数の反射板と一体的に構成される。
【０００８】
請求項４に記載の車両用の前照灯においては、
前記防止機構は前記直射光を遮るための隔壁を有し、前記隔壁が前記ベース基板に設けられる。
【０００９】
請求項５に記載の車両用の前照灯においては、
前記複数の光源が単一の前記ベース基板に設けられ、前記ベース基板が前記複数の反射板の並びに沿うように設けられる。
【００１０】
請求項６に記載の車両用の前照灯においては、
前記車両の前方へ照射光を放出する前記前照灯とは異なる役割を有する灯具の光源を、前記ベース基板に設ける。
【発明の効果】
【００１１】
本発明の車両用の前照灯は、上下方向の厚みを抑えることができ、かつ、左右方向の寸法を抑えることができる。これにより、上下方向に大きな厚みを有する設置スペースを確保することが困難な場合や、車両の車幅が狭い場合でも設置することができ、設置の自由度を向上させることができる。
【図面の簡単な説明】
【００１２】
【図１】田植機を左方から見た図。
【図２】田植機を上方から見た図。
【図３】田植機を前方から見た図。
【図４】前照灯が田植機に設置された状態で、田植機を前方から見たときの前照灯を示す図。
【図５】図４の前照灯の分解図。
【図６】図４の前照灯のレンズを省略した図。
【図７】図６の前照灯の断面図。
【図８】図６の前照灯において、複数の反射板の位置関係を説明するための図。
【図９】図６の前照灯を上方から見た図。
【図１０】光源から照射される照射光の進行方向を示す図。
【発明を実施するための形態】
【００１３】
本発明の実施形態である車両用の前照灯１００・２００について説明する。また、本実施形態では、車両の一例である田植機１について説明する。
図１〜図１０に示すように、前後上下左右の各方向は、田植機１における前後上下左右をそれぞれ示すものとする。すなわち、前方向は、直進姿勢の田植機１の前進方向とし、後方向は、直進姿勢の田植機１の後進方向とし、上下方向は、水平面上の田植機１における鉛直方向とし、左右方向は、直進姿勢の田植機１の後方から前方を見たときの左右方向とする。
【００１４】
図１〜図３に示すように、田植機１は、走行機体２と、その後部に装着される植付作業機３とを備え、走行機体２によって走行しつつ植付作業機３によって植付作業を行う。
【００１５】
走行機体２は、エンジン４、エンジン４からの動力を変速するトランスミッション５、エンジン４及びトランスミッション５を支持する機体フレーム６、エンジン４及びトランスミッション５から伝達される動力によって駆動される前輪７及び後輪８等を備える。走行機体２の前部にはボンネット１８が設けられる。ボンネット１８は、エンジン４を覆っている。
【００１６】
エンジン４及びトランスミッション５からの動力は、それぞれフロントアクスルケース９、リアアクスルケース１０に伝達される。フロントアクスルケース９は、機体フレーム６の前部に支持されるとともに、その左右両端部に前輪７が支承される。同様に、リアアクスルケース１０は、機体フレーム６の後部に支持されるとともに、その左右両端部に後輪８が支承される。機体フレーム６の上部は、ステップ１１によって被覆されており、オペレータは、ステップ１１上を移動可能である。
【００１７】
走行機体２の前後中途部に運転席１２が配置され、その前方に操向ハンドル１３、操作ペダル１４、及び、ダッシュボード１５等が設けられる。ダッシュボード１５には、操向ハンドル１３に加えて各種操作用の操作具、表示装置が配置されている。
【００１８】
植付作業機３は、走行機体２に対して、昇降リンク機構２０を介して連結されている。昇降リンク機構２０は、左右一対の上リンク２１及び下リンク２２、昇降シリンダ等を備える。昇降シリンダによって下リンク２２、上リンク２１を回動させて植付作業機３を昇降させる。
【００１９】
植付作業機３は、植付アーム３１、植付爪３２、苗載台３３、フロート３４等を備える。植付爪３２は、植付アーム３１に取り付けられている。植付作業機３は、トランスミッション５から後方に向けて延出されるＰＴＯ軸１６によって駆動される。より詳細には、ＰＴＯ軸１６から植付センターケース３５を介して植付作業機３に設けられる植付伝動ケース３６に動力が伝達されて、植付伝動ケース３６から植付アーム３１、植付爪３２に動力が分配される。
【００２０】
植付アーム３１は、植付伝動ケース３６から伝達される動力によって回転する。植付爪３２には、苗載台３３から苗が供給される。植付アーム３１の回転運動に伴って、植付爪３２が圃場内に挿入され、所定の植え付け深さとなるように苗が植え付けられる。なお、本実施形態では、ロータリ式の植付爪を採用しているが、クランク式のものを用いても良い。
【００２１】
苗載台３３は、板状の部材によって構成され、機体側面視において前高後低状に傾斜するように配設される。苗載台３３の後面には、苗マットを載置する載置面が植付アームの数（田植機の条数）に応じて形成される。本実施形態の田植機１は、６条植えの田植機であるため、載置面が６つ形成される。
【００２２】
田植機１には、施肥装置４０が設けられる。施肥装置４０は、肥料タンク４１、肥料タンク４１内の肥料を所定量ずつ繰り出す繰り出し機構４２、フロート３４にそれぞれ取り付けられ、田面に肥料を供給するための溝を形成する作溝器４３、作溝器４３の背面に固定され、後方が開口する作溝補助板４４、繰り出し機構４２の繰出口と、作溝補助板４４の開口とを接続する供給ホース４５等を備える。
【００２３】
肥料タンク４１内の肥料は、繰り出し機構４２によって適量繰り出された後、供給ホース４５を通じて作溝器４３に向けて移送されて、作溝器４３及び作溝補助板４４により田面に形成された溝中に放出される。
【００２４】
以下では、前照灯１００・２００について説明する。
【００２５】
図１〜図３に示すように、前照灯１００・２００は、田植機１の前部における上面部１７に設置される。田植機１の前部における上面部１７は、後方に向かうに従って、上方に傾斜する形状を有している。
【００２６】
前照灯１００・２００は、ボンネット１８の側方に設置される。前照灯１００は、ボンネット１８の左側に設置され、前照灯２００は、ボンネット１８の右側に設置される。
前照灯１００・２００は、左右対称な構成を有するので、左側の前照灯１００について説明し、右側の前照灯２００の説明は省略する。
【００２７】
図４〜図７に示すように、前照灯１００は、ハウジング１１０と、レンズ１２０と、インナー部材１３０と、ベース基板１４０と、反射板１５０と、光源１６０と、防止機構１７０と、を備える。
【００２８】
ハウジング１１０にはレンズ１２０が取り付けられている。レンズ１２０とハウジング１１０で囲まれた空間内には、インナー部材１３０が収容されている。インナー部材１３０の隔壁１３１と、ハウジング１１０の側壁１１１と、の間にはベース基板１４０が配置されている（図７参照）。
【００２９】
図１０に示すように、インナー部材１３０には、反射板１５０が形成されている。ベース基板１４０には、光源１６０が設けられている。光源１６０から照射された照射光は、反射板１５０で反射されて、田植機１の前方へ放出される。光源１６０は、例えば、ＬＥＤである。
【００３０】
光源１６０は、複数設けられている。本実施形態では、二つの光源１６０が設けられている。
反射板１５０も複数設けられている。本実施形態では、二つの反射板１５０が設けられている。
それぞれの光源１６０に対して、反射板１５０がそれぞれ設けられており、光源１６０と反射板１５０とが、一対一で対応している。
このように、それぞれの光源１６０に対して、反射板１５０がそれぞれ設けられることで、各光源１６０から照射された照射光が、各光源１６０に対応する反射板１５０でそれぞれ反射される。
【００３１】
以下では、反射板１５０について説明する。
【００３２】
図５に示すように、複数の反射板１５０は、単一の部材（インナー部材１３０）に形成されており、これにより、一体的に構成されている。
【００３３】
前照灯１００が田植機１に設置された状態のとき、複数の反射板１５０が、前後方向に並んだ状態から、上下方向の位置を互いに異ならせた位置に配置されている。
上記した「複数の反射板１５０が、前後方向に並んだ状態」とは、複数の反射板１５０の前後方向の位置が互いに異なっており、かつ、田植機１を前方から見て複数の反射板１５０を確認したときに、複数の反射板１５０の全部又は一部が互いに重なって見える状態である。本実施形態では、複数の反射板１５０の一部が互いに重なって見える状態になっている（図８の上段図の領域α参照）。
上記した「上下方向の位置を互いに異ならせた位置」とは、上記した「複数の反射板１５０が、前後方向に並んだ状態」から、複数の反射板１５０の位置を上下方向に互いにずらすことで、複数の反射板１５０に対して互いに高低差Ｄ２を設けて、複数の反射板１５０のうち、後方に存在するもの程、高い位置に配置した状態である（図８の中段図、及び下段図参照）。
これにより、本実施形態では、田植機１に前照灯１００が設置されている状態で、田植機１を上方から見て複数の反射板１５０を確認したとき、複数の反射板１５０が前後方向に互いに間隔Ｄ１を空けて並んでいると共に（図９参照）、田植機１を前方から見て複数の反射板１５０を確認したとき、複数の反射板１５０が上下方向に互いに高低差Ｄ２を設けて配置される（図８の下段図参照）。
これにより、複数の反射板１５０が、上下方向及び左右方向に並置されることを回避している。
【００３４】
複数の反射板１５０においては、後方に存在するもの程、高い位置に配置される（図８の下段図参照）。すなわち、前後方向に隣り合う反射板１５０においては、前方に存在するものの上端よりも、後方に存在するものの上端の方が高い位置に配置される。
また、田植機１に前照灯１００が設置されている状態で、田植機１を前方から見て複数の反射板１５０を確認したときに、複数の反射板１５０が互いに重ならない程度に、複数の反射板１５０に対して互いに高低差Ｄ２が設けられている（図８の下段図参照）。
【００３５】
複数の反射板１５０の前方は、レンズ１２０で覆われている（図４及び図６参照）。
【００３６】
前照灯１００は、複数の反射板１５０の並びに沿うような形状に形成される。これにより、前照灯１００は、田植機１に設置された状態のとき、前後方向に長手の形状を有しており（図２参照）、さらに、後方に向かうに従って、上方に傾斜している（図１参照）。
前照灯１００は、複数の反射板１５０の並びに沿うような形状に形成されることで、上下方向の厚みを抑えることができ、かつ、左右方向の寸法を抑えることができる。これは、複数の反射板１５０が、上下方向及び左右方向に並置されないように配置されているからである。
【００３７】
以下では、光源１６０について説明する。
【００３８】
図５及び図１０に示すように、複数の光源１６０は、単一のベース基板１４０に設けられる。
ベース基板１４０は、複数の反射板１５０の並びに沿うように設けられる（図１０参照）。また、ベース基盤１４０は、複数の反射板１５０対してそれらの並ぶ方向と垂直な方向に間隔を空けて設けられ、複数の反射板１５０の列に対して平行（略平行も含む）に設けられる（図１０参照）。ベース基板１４０については、複数の反射板１５０の列と対向する側の盤面１４１には、複数の光源１６０が設けられる（図５及び図１０参照）。ベース基板１４０の盤面１４１は、略鉛直に配置されている。複数の光源１６０は、複数の反射板１５０の並びに沿うように設けられる（図１０参照）。また、複数の光源１６０は、複数の反射板１５０に対してそれらの並ぶ方向と垂直な方向に間隔を空けて設けられ、複数の反射板１５０の列に対して並列になるように並べられる（図１０参照）。
【００３９】
前照灯１００が田植機１に設置された状態で、田植機１を前方から見て複数の光源１６０を確認したとき、複数の光源１６０は、上下方向に並ぶように配置されている。
【００４０】
図１０に示すように、前照灯１００が田植機１に設置された状態において、各光源１６０の側方には、各光源１６０に対応する反射板１５０がそれぞれ配置されている。
【００４１】
複数の光源１６０と、複数の反射板１５０との間には、隔壁１３１が配置されている。
隔壁１３１に対しては、各光源１６０と、各光源１６０に対応する反射板１５０と、の間に存在する箇所に、孔１３２がそれぞれ形成されている。これにより、各光源１６０は、各孔１３２を介して、各光源１６０に対応する反射板１５０とそれぞれ対向配置される。各光源１６０から照射された照射光は、各孔１３２を通じて、各光源１６０に対応する反射板１５０へそれぞれ到達する。
【００４２】
前照灯１００が田植機１に設置された状態において、複数の光源１６０がその前方を隔壁１３１で覆われた状態になっている。これにより、田植機１を前方から見たとき、複数の光源１６０を視認できない状態になっている。これにより、田植機１を前方（及び、ななめ前方）から見たときに、光源１６０が直接に見えて眩惑されることが防止される。また、前照灯１００が田植機１に設置された状態において、複数の光源１６０がその前方を隔壁１３１で覆われることで、複数の光源１６０から前方へ照射される照射光が隔壁１３１で遮られ、直射光（後述）が遮られる。
【００４３】
図１０に示すように、前照灯１００が田植機１に設置された状態において、各光源１６０から照射された照射光が、各光源１６０に対応する反射板１５０でそれぞれ反射されて、田植機１の前方へそれぞれ放出される。
詳細には、各光源１６０から照射された照射光の内で側方へ進行したものが（図１０の矢印Ａ１参照）、各光源１６０に対応する反射板１５０でそれぞれ反射されると共に、進行方向を略９０°変更されて、田植機１の前方へそれぞれ放出される（図１０の矢印Ａ２参照）。
従って、各光源１６０から照射された照射光につては、各光源１６０に対応する反射板１５０に向かうときの進行方向Ａ１と、各反射板１５０から放出されるときの進行方向Ａ２と、が互いに異なっている。
【００４４】
複数の反射板１５０においては、後方に存在するもの程、高い位置に配置されるので、後方の反射板１５０が、前方の反射板１５０に邪魔されることなく、照射光を田植機１の前方へ放出することができる（図１０参照）。その結果、前照灯１００からは、照射光が上下に多段になるようにして、田植機１の前方へ放出される。
【００４５】
なお、本実施形態では、ベース基板１４０及び光源１６０を、複数の反射板１５０の列の側方に設けたが（図１０参照）、これに限定されず、上方、又は下方に設けてもよく、ベース基板１４０が複数の反射板１５０の並びに沿うように設けられていればよい。
【００４６】
以下では、防止機構１７０について説明する。
【００４７】
防止機構１７０は、各光源１６０から照射された照射光が、各光源１６０に対応する反射板１５０でそれぞれ反射されること無く、田植機１の前方へ放出されたものである前記直射光の発生を防ぐためのものである。
本実施形態の防止機構１７０は、下記（１）〜（６）の構造を有する。
図７及び図１０に示すように、防止機構１７０は、（１）複数の光源１６０と、複数の反射板１５０と、の間に隔壁１３１を配置して、（２）隔壁１３１を含む遮蔽部材で閉塞空間１３３を形成して、（３）閉塞空間１３３の内側に複数の光源１６０を配置すると共に、閉塞空間１３３の外側に複数の反射板１５０を配置して、（４）隔壁１３１に対して、各光源１６０に対応させて孔１３２をそれぞれ形成して、（５）各光源１６０から照射される照射光を、各光源１６０に対応する孔１３２を通じて閉塞空間１３３の外側へ出して、各光源１６０に対応する反射板１５０へそれぞれ案内して、各反射１５０で反射されてから、田植機１の前方へ放出させる構造を有する。
このように、隔壁１３１の各孔１３２が、各光源１６０から照射される照射光を、各光源１６０に対応する反射板１５０へそれぞれ案内する。これにより、各光源１６０から照射される照射光は、各光源１６０に対応する反射板１５０で反射されてから、田植機１の前方へ放出される。これにより、前記直射光の発生が防がれる。
本実施形態では、閉塞空間１３３を形成するための前記遮蔽部材は、隔壁１３１と、側壁１１１と、で構成される。従って、閉塞空間１３３は、隔壁１３１と、側壁１１１と、の間に形成される。
【００４８】
図５に示すように、本実施形態では、複数の反射板１５０と、前記直射光を遮るための隔壁１３１と、が同一の部材（インナー部材１３０）に形成されており、これにより、複数の反射板１５０と隔壁１３１とが一体的に構成されている。
【００４９】
なお、前記直射光を遮るための隔壁１３１を、ベース基板１４０に設けてもよい。これにより隔壁１３１を反射板１５０とは別体で構成するので、反射板１５０に対する位置関係の制約を受けずに隔壁１３１を設置でき、設置の自由度が向上する。
【００５０】
また、図５及び図１０に示すように、ベース基板１４０に対して、前照灯１００とは異なる役割を有する灯具の光源１８０を設けてもよい。
本実施形態では、前照灯１００とは異なる役割を有する前記灯具は、装飾灯である。光源１８０は、光源１６０よりも後方に配置される。隔壁１３１において、光源１８０側方には孔１３４が形成されている。前記装飾灯の光源１８０から照射された照射光は、孔１３４を通じて照射される（図１０の矢印Ａ３参照）。
なお、前照灯１００とは異なる役割を有する前記灯具は、装飾灯に限定されず、車幅灯、又は方向指示灯であってもよい。
【００５１】
以上のように、前照灯１００は、
光源１６０と、光源１６０が設けられるベース基板１４０と、光源１６０から照射された照射光を反射させて田植機１の前方へ放出する反射板１５０と、を有し、
光源１６０が複数設けられ、それぞれの光源１６０に対して反射板１５０がそれぞれ設けられ、
前照灯１００が田植機１に設置された状態のとき、複数の反射板１５０が、前後方向に並んだ状態から、上下方向の位置を互いに異ならせた位置に配置されている。
【００５２】
これにより、前照灯１００は、複数の反射板１５０の並びに沿うような形状に形成されることで、上下方向の厚みを抑えることができ、かつ、左右方向の寸法を抑えることができる。これにより、上下方向に大きな厚みを有する設置スペースを確保することが困難な場合や、車両の車幅（左右方向の寸法）が狭い場合でも設置することができ、設置の自由度を向上させることができる。
【００５３】
また、前照灯１００においては、
各光源１６０から照射された照射光が、各光源１６０に対応する反射板１５０でそれぞれ反射されること無く、田植機１の前方へ放出されたものである直射光の発生を防ぐための防止機構１７０が設けられる。
防止機構１７０は、前記直射光を遮るための隔壁１３１を有し、隔壁１３１が複数の反射板１５０と一体的に構成され、又は、隔壁１３１がベース基板１４０に設けられる。
【００５４】
防止機構１７０を設けることで、田植機１を前方から見た場合に、光源１６０が直接に見えて眩惑されることが防止される。
【００５５】
また、前照灯１００においては、
複数の光源１６０が単一のベース基板１４０に設けられ、ベース基板１４０が複数の反射板１５０の並びに沿うように設けられる。
【００５６】
複数の光源１６０を単一のベース基板１４０に設けることで、装置の製造コストを抑えることができ、装置構成を簡素化することができる。
また、ベース基板１４０を複数の反射板１５０の並びに沿うように設けることで、前照灯１００を、複数の反射板１５０の並びに沿うような形状に形成することができる。これにより、前照灯１００をコンパクトに形成することができる。
【００５７】
また、前照灯１００においては、
田植機１の前方へ照射光を放出する前照灯１００とは異なる役割を有する灯具の光源１８０を、ベース基板１４０に設ける。
【００５８】
これにより、前照灯１００に装飾灯、車幅灯、方向指示灯等の機能を組み込むことができ、装置の利便性を向上させることができる。
【符号の説明】
【００５９】
１      田植機
１００  前照灯
１４０  ベース基板
１５０  反射板
１６０  光源
【図１】
2017107737.tif 000003
【図２】
2017107737.tif 000004
【図３】
2017107737.tif 000005
【図４】
2017107737.tif 000006
【図５】
2017107737.tif 000007
【図６】
2017107737.tif 000008
【図７】
2017107737.tif 000009
【図８】
2017107737.tif 000010
【図９】
2017107737.tif 000011
【図１０】
2017107737.tif 000012